(57)【要約】【課題】洗濯物のすすぎ性能を向上する。【解決手段】水受け槽３内に回転自在に配設した回転ドラム１と、回転ドラム１を駆動するモータ５と、水受け槽３内に給水する給水手段１１と、水受け槽３内の洗濯水を排水する排水手段１０と、洗い工程、すすぎ工程、脱水工程を逐次制御する制御手段２２とを備え、制御手段２２は、すすぎ工程での中間脱水の回転ドラム１の最高回転数を、バランスコントロールにおける回転ドラム１の回転数より高く最終脱水工程における回転ドラム１の回転数より低くするとともに、すすぎ工程での所定水量給水完了後の撹拌時間を、中間脱水における回転ドラム１の最高回転数での保持時間より長くしたものである。【選択図】図１
2011167427.tif 000002
【特許請求の範囲】
【請求項１】
水受け槽内に回転自在に配設した回転ドラムと、前記回転ドラムを駆動するモータと、前記水受け槽内に給水する給水手段と、前記水受け槽内の洗濯水を排水する排水手段と、前記モータの駆動を制御し、洗い工程、すすぎ工程、脱水工程を逐次制御する制御手段とを備え、前記制御手段は、前記すすぎ工程での中間脱水の最高回転数を、バランスコントロールの回転数より高く最終脱水工程の回転数より低くするとともに、すすぎ工程での所定水量給水完了後の撹拌時間を、前記中間脱水の最高回転数での保持時間より長くしたドラム式洗濯機。
【請求項２】
衣類の乾燥を行なう乾燥装置を設け、制御手段は、乾燥運転を行なう洗濯モードでは、すすぎ工程での中間脱水の最高回転数を、衣類の乾燥運転を行わない洗濯モードでの中間脱水の最高回転数と同じ回転数に設定した請求項１記載のドラム式洗濯機。
【請求項３】
制御手段は、すすぎ工程を２回実行し、２回目のすすぎ工程の中間脱水時間を、１回目のすすぎ工程の中間脱水時間より短くした請求項１または２記載のドラム式洗濯機。
【請求項４】
制御手段は、すすぎ工程を２回実行し、２回目のすすぎ工程での所定水量給水完了後の撹拌時間を、中間脱水の最高回転数での保持時間より長くした請求項１または２記載のドラム式洗濯機。
【請求項５】
回転ドラムの回転軸を前上がりに傾斜させた請求項１〜４のいずれか１項に記載のドラム式洗濯機。
【発明の詳細な説明】
【技術分野】
【０００１】
本発明は、衣類等の洗濯をおこなうドラム式洗濯機に関するものである。
【背景技術】
【０００２】
従来、この種のドラム式洗濯機は、図６および図７に示すように構成されていた（例えば、特許文献１参照）。以下、その構成について説明する。回転ドラム１は、周側部に多数の通水孔２を設け、水受け槽３内に回転自在に配設されている。回転ドラム１の回転中心に略水平方向に回転軸４を設け、この回転軸４にモータ５を連結し、回転ドラム１を回転駆動する。回転ドラム１の内壁面には数個の突起板６を設けている。
【０００３】
水受け槽３は、洗濯機本体７内にばね体８で揺動可能に吊り下げており、水受け槽３の下部に排水ホース９の一端を接続し、排水ホース９の他端を排水ポンプ１０に接続して水受け槽３内の洗濯水を排水するようにしている。給水弁１１は水受け槽３内に洗濯水を給水する。水位検知手段１２は水受け槽３内の水位を検知するものである。
【０００４】
制御装置１３は、マイクロコンピュータで構成した制御手段１４を有し、パワースイッチング手段１５を介してモータ５、排水ポンプ１０、給水弁１１などの動作を制御し、洗濯、すすぎ、脱水などの一連の工程を逐次制御する。入力設定手段１６は、運転コース等を設定するもので、制御手段１４は入力設定手段１６からの情報を入力して、その情報を基に表示手段１７に表示して使用者に知らせる。記憶手段１８は、制御手段１４により制御するために必要なデータを記憶している。なお、１９は商用電源、２０は電源スイッチである。
【０００５】
上記構成において動作を説明すると、回転ドラム１内に洗濯物と洗剤を投入し、電源スイッチ２０を入れて、スタートボタン（図示せず）を押し、洗濯工程を開始すると、給水弁１１が動作して水受け槽３内に給水し、水位検知手段１２により第１の所定の水位を検知するとモータ５を駆動する。また、第１の所定の水位より多い第２の所定の水位を検知すると給水を停止する。
【０００６】
洗い工程では、洗濯物に水が含まれるため給水しながら、回転ドラム１はモータ５によって所定の回転数および所定の時間において、正転、停止、反転、停止駆動し、撹拌を行う。回転ドラム１内の洗濯物は、回転ドラム１の回転により突起板６に引っかかり、持ち上げられて水面上に落下する。この動作によって洗剤を徐々に溶解して洗濯水となり、洗濯物の汚れに作用する。洗濯工程が終了すると、排水ポンプ１０を動作して水受け槽３内の洗濯水を排水する。
【０００７】
すすぎ工程の中間脱水工程では、まず、モータ５を所定の回転数および所定の時間において、連続回転駆動し、回転ドラム１内の洗濯物を回転ドラム１の内壁に貼り付けた状態で回転数を高速にし、その遠心力によって洗濯物に含まれる水分の脱水を行う。
【０００８】
次いで、洗い工程と同様に、給水しながら回転ドラム１をモータ５によって回転させ、回転ドラム１内の洗濯物は撹拌により突起板６に引っかかり、持ち上げられて水面上に落下する。この動作によって、すすぎ水が洗濯物に吸収、排出され、洗濯物内の洗剤液を希釈していく。すすぎ工程が終了すると、排水ポンプ１０を動作して水受け槽３内のすすぎ水を排水する。
【先行技術文献】
【特許文献】
【０００９】
【特許文献１】特開平１０−２１６３９０号公報
【発明の概要】
【発明が解決しようとする課題】
【００１０】
しかしながら、前記従来の構成では、すすぎ工程にて、回転ドラム１の撹拌によって回転ドラム１内の洗濯物にすすぎ水を含ませながら機械力を与えて、すすぎ性能を確保している。このため、給水量が少ないドラム式洗濯機では、洗濯物のすすぎ水が均一にかかるまでに時間がかかり、すすぎムラが発生する。また、洗濯物に浸透している洗剤成分が除去されるまでの、すすぎに要する時間が長いという問題があった。
【００１１】
本発明は、前記従来の課題を解決するもので、洗濯物のすすぎ性能を向上することを目的とする。
【課題を解決するための手段】
【００１２】
前記従来の課題を解決するために、本発明のドラム式洗濯機は、水受け槽内に回転自在に配設した回転ドラムと、前記回転ドラムを駆動するモータと、前記水受け槽内に給水する給水手段と、前記水受け槽内の洗濯水を排水する排水手段と、前記モータの駆動を制御し、洗い工程、すすぎ工程、脱水工程を逐次制御する制御手段とを備え、前記制御手段は、前記すすぎ工程での中間脱水の最高回転数を、バランスコントロールの回転数より高く最終脱水工程の回転数より低くするとともに、すすぎ工程での所定水量給水完了後の撹拌時間を、前記中間脱水の最高回転数での保持時間より長くしたものである。
【００１３】
これによって、すすぎ工程において、最もすすぎ性能が良好となる所定水量給水完了後の撹拌時間を長くすることができ、すすぎ性能を向上することができるとともに、中間脱水による洗濯物の布痛みを少なくすることができる。
【発明の効果】
【００１４】
本発明のドラム式洗濯機は、洗濯物のすすぎ性能を向上することができるとともに、中間脱水による洗濯物の布痛みを少なくすることができる。
【図面の簡単な説明】
【００１５】
【図１】本発明の実施の形態１におけるドラム式洗濯機の断面図
【図２】同ドラム式洗濯機のブロック回路図
【図３】同ドラム式洗濯機のすすぎ工程の動作を示すタイムチャート
【図４】同ドラム式洗濯機のすすぎ工程の動作を示すタイムチャート
【図５】同ドラム式洗濯機の動作説明図
【図６】従来のドラム式洗濯機の断面図
【図７】同ドラム式洗濯機のブロック回路図
【発明を実施するための形態】
【００１６】
第１の発明は、水受け槽内に回転自在に配設した回転ドラムと、前記回転ドラムを駆動するモータと、前記水受け槽内に給水する給水手段と、前記水受け槽内の洗濯水を排水する排水手段と、前記モータの駆動を制御し、洗い工程、すすぎ工程、脱水工程を逐次制御する制御手段とを備え、前記制御手段は、前記すすぎ工程での中間脱水の最高回転数を、バランスコントロールの回転数より高く最終脱水工程の回転数より低くするとともに、すすぎ工程での所定水量給水完了後の撹拌時間を、前記中間脱水の最高回転数での保持時間より長くしたことにより、最もすすぎ性能が良好となる所定水量給水完了後の撹拌時間を長くすることができ、すすぎ性能を向上することができる。中間脱水において、中間脱水時間に対する排水量の関係は、飽和曲線の様相を示し、中間脱水の回転数が最高回転数と
なった場合は、最高回転数での脱水時間が経過するにしたがい、洗濯物からの排水量は少なくなる。また、排水の洗剤濃度も回転ドラムの回転数が高くなるにしたがい低くなる。したがって、すすぎ性能が良好となる所定水量給水完了後の撹拌時間を長くすることにより、すすぎ性能を向上することができる。また、中間脱水の最高回転数を最終脱水の回転数より低いため、中間脱水による洗濯物の布痛みを少なくすることができる。また、中間脱水と比較して所定水量給水完了後の撹拌は、回転ドラムの駆動電力消費量が少なく、消費電力量を少なくしてすすぎ効果を高めることができる。また、洗濯物に残存する水量が若干多くなり、この水を利用することにより、すすぎ時に供給する水の節約、あるいは、すすぎ水を通常通り入れてすすぎ水を増量し、すすぎ性能を向上させることができる。
【００１７】
第２の発明は、特に、第１の発明のドラム式洗濯機に、衣類の乾燥を行なう乾燥装置を設け、制御手段は、乾燥運転を行なう洗濯モードでは、すすぎ工程での中間脱水の最高回転数を、衣類の乾燥運転を行わない洗濯モードでの中間脱水の最高回転数と同じ回転数に設定したことにより、回転ドラム内で洗濯に続けて乾燥運転を行う場合においても、洗濯物のすすぎ性能を向上することができるとともに、中間脱水による洗濯物の布痛みを少なくすることができる。
【００１８】
第３の発明は、特に、第１または第２の発明の制御手段は、すすぎ工程を２回実行し、２回目のすすぎ工程の中間脱水時間を、１回目のすすぎ工程の中間脱水時間より短くしたことにより、２回目のすすぎ工程の中間脱水後の洗濯物に残存する洗剤濃度の低い水の量を多くすることができ、２回目のすすぎ工程の撹拌すすぎに使用して、すすぎ性能を向上することができる。
【００１９】
第４の発明は、特に、第１または第２の発明の制御手段は、すすぎ工程を２回実行し、２回目のすすぎ工程での所定水量給水完了後の撹拌時間を、中間脱水の最高回転数での保持時間より長くしたことにより、２回目のすすぎ工程では、中間脱水を行う洗濯物には汚れた水の残存が少なく、所定水量給水完了後の洗濯物のすすぎを十分におこなうことで、すすぎ効果を高めることができる。
【００２０】
第５の発明は、特に、第１〜第４のいずれか１つの発明の回転ドラムの回転軸を前上がりに傾斜させたことにより、少ないすすぎ水で洗濯物との接触を良好にすることができ、すすぎ効果を高めることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態におけるドラム式洗濯機の断面図、図２は、同ブロック回路図、図３は、１回目のすすぎ工程の動作を示すタイムチャート、図４は、２回目のすすぎ工程の動作を示すタイムチャート、図５は動作説明図である。なお、従来例と同じ構成のものは、同一符号を付してその説明は従来例のものを援用する。
【００２３】
図１〜図５において、制御装置２１は、マイクロコンピュータで構成した制御手段２２を有し、パワースイッチング手段１５を介してモータ５、排水ポンプ（排水手段）１０、給水弁（給水手段）１１などの動作を制御し、洗い、すすぎ、脱水等の一連の工程を逐次制御する。回転数検知手段２３は、回転ドラム１の回転数を検知するもので、この回転数検知手段２３で検知した回転ドラム１の回転数を制御手段２２に入力し、制御手段２２がパワースイッチング手段１５を介して回転ドラム１の回転数を制御する。回転ドラム１は、水平方向から前上がりに傾斜した回転軸４を有している。
【００２４】
衣類の乾燥運転を行わない洗濯モードにおいて、制御手段２２は、洗い工程では、給水弁１１を作動させ、水受け槽３内に洗濯水を供給し、回転ドラム１内の洗濯物を濡らすとともに、洗剤を溶解させる。また、制御手段２２は、モータ５を制御し、このモータ５により回転ドラム１を回転させる。これにより、回転ドラム１内の洗濯物は突起板６に引っかかり、持ち上げられて洗剤が溶解している水面上に落下することによりたたき洗いが行われ、洗剤の洗濯物への浸透、排出により洗濯物の汚れを落す。
【００２５】
洗い工程が終了すると、制御手段２２は排水ポンプ１０を動作させ、水受け槽３内の洗濯水を排水し、１回目のすすぎ工程に移行する。図３は１回目のすすぎ工程を示したもので、中間脱水、給水撹拌、所定水量給水完了後の撹拌、排水の工程を順次実行する。
【００２６】
制御手段２２は、モータ５に信号を送り中間脱水を行うために必要な回転ドラム１内にある洗濯物のバランスコントロール動作を開始する。このバランスコントロール動作は、回転ドラム１を高速で回転させた時の振動を少なくするために、一般的な振動検知センサ（図示せず）等を用いて行われ、その回転数は例えば約５０ｒ／ｍｉｎである。
【００２７】
バランスコントロール動作の完了後、制御手段２２はモータ５の回転数を徐々に増加させて制御し、回転ドラム１の回転数を上昇させて洗濯物から洗濯水を脱水する。中間脱水工程では、バランスコントロール完了後の回転ドラム１の回転数が設定された最高回転数まで高くなり、この最高回転数で所定時間ｔ１回転し、その後回転数が低下して停止し、０ｒ／ｍｉｎになる。
【００２８】
中間脱水工程での回転ドラム１の最高回転数は、バランスコントロール時の回転数よりも高く、衣類の乾燥運転を行わない洗濯モードにおける最終脱水工程での回転数、例えば９００ｒ／ｍｉｎよりも低く設定されており、例えば８００ｒ／ｍｉｎである。８００ｒ／ｍｉｎで所定時間ｔ１回転後は、制御手段２２はパワースイッチング手段１５を介して回転ドラム１を停止させる。
【００２９】
衣類の乾燥を行う洗濯物モードと衣類の乾燥を行わない洗濯モードでは、最終脱水工程での回転ドラム１の回転数は異なっている。具体的には、衣類の乾燥を行わない洗濯モードでの回転ドラム１の回転数は、９００ｒ／ｍｉｎに設定され、衣類の乾燥を行う洗濯モードでの回転ドラム１の回転数は、１５００ｒ／ｍｉｎに設定されている（図５参照）。
【００３０】
衣類の乾燥を行わない洗濯モードでは、最終脱水工程完了後衣類を回転ドラム１から取り出して干すが、最終脱水の回転ドラム１の回転数を高く設定すると、衣類から多く水分が出ることにより衣類にシワが多く発生し、干した場合に衣類が乾いてもシワが多く残ることになる。そのため、衣類の乾燥を行わない洗濯モードでは、最終脱水工程での回転ドラム１の回転数を９００ｒ／ｍｉｎ程度に設定されている。
【００３１】
これに対し、衣類の乾燥を行う洗濯モードでは、最終脱水工程完了後、洗濯機の中で温風による乾燥が行われる。この時には、最終脱水工程において、衣類に残存する水分を少なくすることで衣類の乾燥を速めることができ、省エネルギーとなる。洗濯機の中で温風により乾燥を行うため、衣類に対するこの範囲での水分の残存量によって乾燥完了後のシワの状態が大きく変わることがないため、最終脱水工程での回転ドラム１の回転数は、例えば１５００ｒ／ｍｉｎと高く設定できることになる。
【００３２】
中間脱水完了後、洗濯物は回転ドラム１の内周壁面に張り付いた状態になっている。まず、制御手段２２は、パワースイッチング手段１５を介して回転ドラム１を一定方向に回転させながら、給水弁１１を開き水受け槽３にすすぎ水を溜めていく。この時の回転ドラム１の回転数は例えば８０ｒ／ｍｉｎであり、この回転数であれば、回転ドラム１の内周
壁面に張り付いた洗濯物は、崩れることなく回転ドラム１にほぼ張り付いている。
【００３３】
すすぎ水が水受け槽３に溜まり、水位検知手段１２が水位Ｎ１を検知すると、制御手段２２は給水を停止するとともに、回転ドラム１の回転数を８０ｒ／ｍｉｎから、例えば１７０ｒ／ｍｉｎに上昇させた後、回転数を落として給水を再開する。水位検知手段１２が水位Ｎ２を検知すると、制御手段２２は給水を停止するとともに、回転ドラム１の所定水量給水完了後の撹拌時間の計測を開始する。
【００３４】
制御手段２２は回転ドラム１の撹拌運転を行い、回転ドラム１に張り付いた洗濯物を回転ドラム１より引き剥がすとともに、洗濯物をタンブリング動作により撹拌し、水受け槽３に溜まったすすぎ水ですすぎを行う。撹拌時間ｔ２は、中間脱水工程の最高回転数での所定時間ｔ１より長く設定している。
【００３５】
撹拌時間ｔ２は、洗濯完了までの時間の制約、および撹拌時間ｔ２が長くなるにしたがって、すすぎによる効果が少なくなるため一般的には５分以下である。所定の撹拌時間ｔ２が経過すると制御手段２２は回転ドラム１の運転を停止し、排水ポンプ１０を作動させてすすぎ水を洗濯機本体７の外に排出し、１回目のすすぎ工程を完了する。
【００３６】
次に、２回目のすすぎ工程に移行する。図４は２回目のすすぎ工程を示したもので、１回目のすすぎ工程と同様に、中間脱水、給水撹拌、所定水量給水完了後の撹拌、排水の工程を順次実行する。
【００３７】
中間脱水工程の最初にバランスコントロールが行われる。このバランスコントロール動作は、回転ドラム１を高速で回転させた時の振動を少なくするために、一般的な振動検知センサ（図示せず）等を用いて行われ、その回転数は例えば約５０ｒ／ｍｉｎである。バランスコントロール動作の完了後、制御手段２２はモータ５の回転数を徐々に増加させて制御し、回転ドラム１の回転数を上昇させて洗濯物から洗濯水を脱水する。
【００３８】
中間脱水工程では、バランスコントロール完了後の回転ドラム１の回転数が設定された最高回転数、例えば８００ｒ／ｍｉｎまで高くなり、この最高回転数で所定時間ｔ３回転し、その後回転数が低下して０ｒ／ｍｉｎになる。この最高回転数は、最終脱水工程での回転数９００ｒ／ｍｉｎよりも低く設定され、また、所定時間ｔ３は、１回目のすすぎ工程での所定時間ｔ１より短くしている。
【００３９】
具体的動作としては、制御手段２２がパワースイッチング手段１５を介して回転ドラム１の回転を開始し、回転数が約５０ｒ／ｍｉｎでバランスコントロールを開始する。バランスコントロールが完了すると、回転ドラム１は回転数を上げ、衣類の乾燥運転を行わない洗濯モードであるため、最終脱水の最高回転数９００ｒ／ｍｉｎよりも低い回転数８００ｒ／ｍｉｎまで高くなり、８００ｒ／ｍｉｎでｔ３時間運転を行う。ｔ３時間経過後、制御手段２２がパワースイッチング手段１５を介して回転ドラム１を停止させる。
【００４０】
中間脱水完了後、洗濯物は回転ドラム１の内周壁面に張り付いた状態になっている。制御手段２２は給水弁１１を開き水受け槽３にすすぎ水を溜めていくとともに、パワースイッチング手段１５を介して回転ドラム１をタンブリング動作により撹拌運転を行い、回転ドラム１に張り付いた洗濯物を回転ドラム１より引き剥がすとともに、水受け槽３に溜まったすすぎ水の中の洗濯物を撹拌し、すすぎを行う。
【００４１】
すすぎ水が水受け槽３に溜まり、水位検知手段１２が水位Ｎ３を検知すると、制御手段２２は給水を停止するとともに、回転ドラム１の所定水量給水完了後の撹拌時間ｔ４の計測を開始する。撹拌時間ｔ４は、中間脱水の最高回転数での回転時間ｔ３よりも長くして
いる。撹拌時間ｔ４が経過すると、制御手段２２は回転ドラム１の運転を停止させる。撹拌時間ｔ４は、洗濯完了までの時間の制約、および撹拌時間ｔ４が長くなるにしたがって、すすぎによる効果が少なくなるため一般的には５分以下である。その後、制御手段２２は排水ポンプ１０を作動させてすすぎ水を洗濯機本体７の外に排出し、２回目のすすぎ工程を完了する。
【００４２】
すすぎ回数が３回以上設定されている場合、３回目のすすぎ工程に移る。３回目のすすぎ工程では、中間脱水はおこなわず、給水撹拌、所定水量給水完了後の撹拌、排水の工程を順次実行する。中間脱水を実行しない理由は、１回目および２回目のすすぎ工程において、洗濯物に残存する洗剤濃度が少なくなっているからである。
【００４３】
所定回数のすすぎ工程に続いて最終脱水工程が実行される。最終脱水の最高回転数は、例えば９００ｒ／ｍｉｎである。所定時間の最終脱水が終了すると、乾燥運転を行わない洗濯モードの場合は洗濯工程を完了し、制御手段２２は洗濯機本体７の電源を切る。
【００４４】
洗濯工程に引き続いて乾燥運転をおこなう洗濯モードの場合は、洗濯機本体７内に設けられた乾燥装置（図示せず）によって、回転ドラム１内に温風を供給し、回転ドラム１内の衣類を乾燥させて乾燥工程を完了し、制御手段２２は洗濯機本体７の電源を切る。
【００４５】
１回目のすすぎ工程および２回目のすすぎ工程における中間脱水は、その経過時間に対して排水量は飽和曲線の様相を示し、中間脱水時間の経過するにしたがって排水量は少なくなる。また、排水の洗剤濃度も回転ドラム１の回転数が高くなるにしたがって低下傾向にあり、中間脱水を長い時間行っても、洗濯物からの洗剤の除去効果はあまり大きくない。
【００４６】
それに対し、所定水量給水完了後の撹拌においては、水受け槽３にすすぎに使用する水量が最も多い状態で撹拌されるため、この時間の長短がすすぎ効果に大きな影響をおよぼす。したがって、すすぎ性能が良好となる所定水量給水完了後の撹拌時間ｔ２、ｔ４を、中間脱水の最高回転数での保持時間ｔ１、ｔ３より長く設定することより、洗濯物に残存している洗剤は、時間をかけて中間脱水で絞り除去するより、洗濯物に残存している水分も含めて、供給されるすすぎ水と合わせて撹拌する方が洗濯物から出やすくなるため、効率的なすすぎが行われ、すすぎ効果を高めることができる。
【００４７】
また、中間脱水完了後の洗濯物の水分の保持量は多くなり、脱水による洗濯物の布痛みを少なくすることができる。また、洗濯物に残存する水量は多くなっているため、この水を利用することにより、中間脱水後にすすぎのために供給する水を少なくすることができる。また、すすぎ水を通常通り入れてすすぎ水を多くすることにより、すすぎ性能を更に向上させることができる。
【００４８】
また、洗濯時間の制限により、洗濯時間を従来と同等にした場合、所定水量給水完了後の撹拌時間ｔ２、ｔ４を、中間脱水の最高回転数での保持時間ｔ１、ｔ３よりも長くしたこと、および、中間脱水における最高回転数で運転時の消費電力量が、所定水量給水完了後の撹拌時の消費電力量よりも大きいことにより、すすぎ工程で消費電力量を低減することができる。
【００４９】
２回目のすすぎ工程における所定水量給水完了後の撹拌時間ｔ４を、中間脱水の最高回転数での保持時間ｔ３より長く設定することにより、１回目のすすぎ工程で残った汚れ成分をすすぎ水に十分洗い出すことができ、洗濯物の汚れが大きい場合に効果的である。
【００５０】
また、２回目のすすぎ工程における所定水量給水完了後の撹拌時間ｔ４を、１回目のす
すぎ工程における所定水量給水完了後の撹拌時間ｔ２より長く設定することにより、すすぎ効果をよくすることができる。
【００５１】
また、衣類の乾燥運転を行なう洗濯モードでは、すすぎ工程での中間脱水の最高回転数を、衣類の乾燥運転を行わない洗濯モードと同一の回転数にするとともに、すすぎ工程での所定水量給水完了後の撹拌時間は、中間脱水の最高回転数での保持時間よりも長くしたことにより、衣類の乾燥運転を行なわない洗濯モードと同様の効果が得られる。
【００５２】
なお、本実施の形態では、回転ドラム内の洗濯水を循環させて衣類に散布しない構成としたが、すすぎ工程において、すすぎ水を衣類に散布するようにしてもよく、すすぎ効果を高めることができる。
【産業上の利用可能性】
【００５３】
以上のように、本発明にかかるドラム式洗濯機は、洗濯物のすすぎ性能を向上することができるとともに、中間脱水による洗濯物の布痛みを少なくすることができるので、ドラム式洗濯機として有用である。
【符号の説明】
【００５４】
１  回転ドラム
３  水受け槽
５  モータ
１０  排水ポンプ（排水手段）
１１  給水弁（給水手段）
１２  水位検知手段
２２  制御手段
【図２】
2011167427.tif 000003
【図３】
2011167427.tif 000004
【図４】
2011167427.tif 000005
【図５】
2011167427.tif 000006
【図７】
2011167427.tif 000007
【図１】
2011167427.tif 000008
【図６】
2011167427.tif 000009